(57)【特許請求の範囲】
【請求項１】
ランド、および／または、グルーブを有する光学式回転記録媒体の１アドレス情報記録領域に、当該光学式回転記録媒体の回転方向に沿って、１つのＩＤ情報に対して、第１の同期信号と、ＩＤ情報と、前記第１の同期信号が記録されている位置に対して当該光学式回転記録媒体に欠陥が生ずる推定距離より離間した位置に第２の同期信号とが、この順序で、かつ、前記第１の同期信号と前記ＩＤ情報と前記第２の同期信号とを１組として、少なくとも１組記録されており、
当該光学式回転記録媒体の回転方向に沿って前記ＩＤ情報の前の位置に記録されている前記第１の同期信号は、前記ＩＤ情報を復調するために用いる同期信号であり、
当該光学式回転記録媒体の回転方向に沿って前記ＩＤ情報の後の位置に記録されている前記第２の同期信号は、前記第１の同期信号が正常に検出できなかった場合に、前記ＩＤ情報を復調するために用いる同期信号である、
光学式回転記録媒体。
【請求項２】
前記第１の同期信号と前記第２の同期信号とは信号パターンが異なる、
請求項１に記載の光学式回転記録媒体。
【請求項３】
前記第１の同期信号と、前記ＩＤ情報と、前記第２の同期信号の組が複数組存在するとき、これらの複数の組の各１組の情報が記録されている領域の前の位置に、位相同期を行うための信号が記録されている、
請求項１または２に記載の光学式回転記録媒体。
【請求項４】
ランド、および／または、グルーブを有する光学式回転記録媒体の１アドレス情報記録領域に、当該光学式回転記録媒体の回転方向に沿って、
第１の同期信号、
第１のＩＤ情報、
第２の同期信号、
第２のＩＤ情報、
共通の補助同期信号
が上記の順序で、記録されており、
前記共通の補助同期信号は、前記第１の同期信号が記録されている位置および前記第２の同期信号が記録されている位置に対して当該光学式回転記録媒体に欠陥が生ずる推定距離より離間した位置に記録されており、
当該光学式回転記録媒体の回転方向に沿って前記第１のＩＤ情報が記録された位置の前の位置に記録されている前記第１の同期信号は前記第１のＩＤ情報を復調するために用いる同期信号であり、
当該光学式回転記録媒体の回転方向に沿って前記第１の同期信号が記録された位置の後の位置に記録されている前記共通の補助同期信号は、前記第１の同期信号が正常に検出できないときに前記第１のＩＤ情報を復調するために用いる同期信号であり、
当該光学式回転記録媒体の回転方向に沿って前記第２のＩＤ情報が記録された位置の前の位置に記録されている前記第２の同期信号は、前記第１の同期信号または前記共通の補助同期信号が正常な場合に行われる前記第１のＩＤ情報の復調が成功しなかった場合に前記第２のＩＤ情報を復調するために用いる同期信号であり、
当該光学式回転記録媒体の回転方向に沿って前記第１の同期信号が記録された位置の後の位置に記録されている前記共通の補助同期信号は、前記第２の同期信号が正常に検出できない場合に前記第２のＩＤ情報を復調するために用いる同期信号である、
光学式回転記録媒体。
【請求項５】
前記共通の補助同期信号の信号パターンは、前記第１の同期信号および前記第２の同期信号それぞれの信号パターンとは異なる、
請求項４に記載の光学式回転記録媒体。
【請求項６】
ランド、および／または、グルーブを有する光学式回転記録媒体の１アドレス情報記録領域に、１つのＩＤ情報に対して複数の同期信号が記録位置を離間させて記録されている光学式回転記録媒体から、前記ＩＤ情報を読みだすＩＤ情報読み出し手段と、
前記ＩＤ情報読み出し手段で読みだしたＩＤ情報および前記複数の同期信号を含むデータを読みだした順序で記憶する記憶手段と、
前記複数の同期信号を検出する同期信号検出手段と、
該検出された同期信号のうち１つの同期信号が正常な場合、前記記憶手段に記憶されているＩＤ情報を復調する復調手段と
を具備する、
ＩＤ情報再生装置。
【請求項７】
前記光学式回転記録媒体は、
１アドレス情報記録領域に、当該光学式回転記録媒体の回転方向に沿って、１つのＩＤ情報に対して、第１の同期信号と、ＩＤ情報と、前記第１の同期信号が記録される位置に対して当該光学式回転記録媒体に欠陥が生ずる推定距離より離間した位置に第２の同期信号とが、この順序で、かつ、前記第１の同期信号と前記ＩＤ情報と前記第２の同期信号とを１組として、少なくとも１組記録されており、
当該光学式回転記録媒体の回転方向に沿って前記ＩＤ情報の前の位置に記録されている前記第１の同期信号は、前記ＩＤ情報を復調するために用いる同期信号であり、
当該光学式回転記録媒体の回転方向に沿って前記ＩＤ情報の後の位置に記録されている前記第２の同期信号は、前記第１の同期信号が正常に検出できなかった場合に、前記ＩＤ情報を復調するために用いる同期信号であり、
前記記憶手段は、前記ＩＤ情報読み出し手段で読みだした前記第１の同期信号、前記ＩＤ情報、前記第２の同期信号を含むデータを読みだした順序で記憶し、
前記復調手段は、
前記第１の同期信号が正常な場合前記ＩＤ情報を復調し、
前記第１の同期信号が正常に検出できなかった場合で前記第２の同期信号が正常に検出された場合前記ＩＤ情報を復調する、
請求項６に記載のＩＤ情報再生装置。
【請求項８】
前記第１の同期信号と前記第２の同期信号との信号パターンが異なり、
前記同期信号検出手段は、前記第１の同期信号と前記第２の同期信号との信号パターンの相違に基づいて前記第１の同期信号または前記第２の同期信号を識別する、
請求項７に記載のＩＤ情報再生装置。
【請求項９】
ランド、および／または、グルーブを有する光学式回転記録媒体の１アドレス情報記録領域に、当該光学式回転記録媒体の回転方向に沿って、第１の同期信号、ＩＤ情報および第２の同期信号が、この順序で記録されている、光学式回転記録媒体から、前記第１の同期信号、前記ＩＤ情報および前記第２の同期信号を含むデータを読みだすＩＤ情報読み出し手段と、
該ＩＤ情報読み出し手段で読みだした、前記第１の同期信号、前記ＩＤ情報および前記第２の同期信号を含むデータを、読みだした順序で記憶する記憶手段と、
前記記憶手段に記憶したデータの中から、前記第１の同期信号および前記第２の同期信号を検出する同期信号検出手段と、
前記検出された第１の同期信号が正常な場合前記記憶手段に記憶されている前記ＩＤ情報を復調し、前記第１の同期信号が正常に検出されない場合、かつ、前記第２の同期信号が正常に検出された場合前記記憶手段に記憶されている前記ＩＤ情報を復調する復調手段と
を具備する、ＩＤ情報再生装置。
【請求項１０】
前記第１の同期信号と前記第２の同期信号との信号パターンが異なり、
前記同期信号検出手段は、前記第１の同期信号と前記第２の同期信号との信号パターンの相違に基づいて前記第１の同期信号または前記第２の同期信号を識別する
請求項９に記載のＩＤ情報再生装置。
【請求項１１】
ランド、および／または、グルーブを有する光学式回転記録媒体の１アドレス情報記録領域に、当該光学式回転記録媒体の回転方向に沿って、第１の同期信号、ＩＤ情報および第２の同期信号が、この順序で記録されている、光学式回転記録媒体から、前記第１の同期信号、前記ＩＤ情報および前記第２の同期信号を含むデータを読みだすＩＤ情報読み出し工程と、
該ＩＤ情報読み出し工程で読みだした、前記第１の同期信号、前記ＩＤ情報および前記第２の同期信号を含むデータを、読みだした順序で記憶手段に記憶する記憶工程と、
前記記憶手段に記憶したデータの中から、前記第１の同期信号および前記第２の同期信号を検出する同期信号検出工程と、
前記検出された第１の同期信号が正常な場合前記記憶手段に記憶されている前記ＩＤ情報を復調し、前記第１の同期信号が正常に検出されない場合、かつ、前記第２の同期信号が正常に検出された場合、前記記憶手段に記憶されている前記ＩＤ情報を復調する復調工程と
を具備する、ＩＤ情報再生方法。
【請求項１２】
前記第１の同期信号と前記第２の同期信号との信号パターンが異なり、
前記同期信号を検出する段階において、前記第１の同期信号と前記第２の同期信号との信号パターンの相違に基づいて前記第１の同期信号または前記第２の同期信号を識別する、
請求項１１に記載のＩＤ情報再生方法。
【請求項１３】
ランド、および／または、グルーブを有する光学式回転記録媒体の１アドレス情報記録領域に、当該光学式回転記録媒体の回転方向に沿って、第１の同期信号および第１のＩＤ情報、第２の同期信号および第２のＩＤ情報、および、共通の補助同期信号が上記の順序で記録されており、当該光学式回転記録媒体の回転方向に沿って前記第１のＩＤ情報が記録されている位置の前の位置に記録されている前記第１の同期信号は前記第１のＩＤ情報を復調するために用いる同期信号であり、当該光学式回転記録媒体の回転方向に沿って前記第２のＩＤ情報が記録されている位置の前の位置に記録されている前記第２の同期信号は前記第２のＩＤ情報を復調するために用いる同期信号であり、前記共通の補助同期信号は、前記第１の同期信号が記録されている位置および前記第２の同期信号が記録されている位置に対して当該光学式回転記録媒体に欠陥が生ずる推定距離より離間した位置に記録されており、前記共通の補助同期信号は、前記第１の同期信号または前記第２の同期信号が正常に検出できない場合に、当該正常に検出できない同期信号に代わって、前記第１のＩＤ情報または前記第２のＩＤ情報を復調するために用いる同期信号である、光学式回転記録媒体から、前記第１の同期信号、前記第１のＩＤ情報、前記第２の同期信号、前記第２のＩＤ情報、および、前記共通の補助同期信号を含むデータを読みだす、ＩＤ情報読み出し手段と、
前記ＩＤ情報読み出し手段で読みだした、前記第１の同期信号、前記第１のＩＤ情報、前記第２の同期信号、前記第１のＩＤ情報、および、前記共通の補助同期信号を含むデータを、読みだした順序で記憶する記憶手段と、
前記記憶手段に記憶したデータの中から、前記第１の同期信号、前記第２の同期信号および前記共通の補助同期信号を検出する同期信号検出手段と、
復調手段と
を有し、
前記復調手段は、
前記検出された第１の同期信号が正常な場合前記記憶手段に記憶されている前記第１のＩＤ情報を復調し、
前記第１の同期信号が正常に検出できない場合で前記検出された共通の補助同期信号が正常に検出できた場合、前記第１のＩＤ情報を復調し、
前記第１の同期信号または前記共通の補助同期信号が正常に検出されたときに行われた前記第１のＩＤ情報の復調が成功しなかった場合で前記検出された第２の同期信号が正常な場合、前記記憶手段に記憶されている前記第２のＩＤ情報を復調し、
前記第２の同期信号が正常に検出されない場合で前記検出された補助同期信号が正常に検出された場合、前記記憶手段に記憶されている前記第２のＩＤ情報を復調する、
ＩＤ情報再生装置。
【請求項１４】
ランド、および／または、グルーブを有する光学式回転記録媒体の１アドレス情報記録領域に、当該光学式回転記録媒体の回転方向に沿って、第１の同期信号および第１のＩＤ情報、第２の同期信号および第２のＩＤ情報、および、共通の補助同期信号が上記の順序で記録されており、当該光学式回転記録媒体の回転方向に沿って前記第１のＩＤ情報が記録されている位置の前の位置に記録されている前記第１の同期信号は前記第１のＩＤ情報を復調するために用いる同期信号であり、当該光学式回転記録媒体の回転方向に沿って前記第２のＩＤ情報が記録されている位置の前の位置に記録されている前記第２の同期信号は前記第２のＩＤ情報を復調するために用いる同期信号であり、前記共通の補助同期信号は、前記第１の同期信号が記録されている位置および前記第２の同期信号が記録されている位置に対して当該光学式回転記録媒体に欠陥が生ずる推定距離より離間した位置に記録されており、前記共通の補助同期信号は、前記第１の同期信号または前記第２の同期信号が正常に検出できない場合に、当該正常に検出できない同期信号に代わって、前記第１のＩＤ情報または前記第２のＩＤ情報を復調するために用いる同期信号である、光学式回転記録媒体から、前記第１の同期信号、前記第１のＩＤ情報、前記第２の同期信号、前記第２のＩＤ情報、および、前記共通の補助同期信号を含むデータを読みだす、ＩＤ情報読み出し工程と、
前記ＩＤ情報読み出し工程で読みだした、前記第１の同期信号、前記第１のＩＤ情報、前記第２の同期信号、前記第１のＩＤ情報、および、前記共通の補助同期信号を含むデータを、読みだした順序で記憶手段に記憶する記憶工程と、
前記記憶手段に記憶したデータの中から、前記第１の同期信号、前記第２の同期信号および前記共通の補助同期信号を検出する同期信号検出工程と、
復調工程と
を有し、
前記復調工程において、
前記検出された第１の同期信号が正常な場合前記記憶手段に記憶されている前記第１のＩＤ情報を復調し、
前記第１の同期信号が正常に検出できない場合で前記検出された共通の補助同期信号が正常に検出できた場合、前記第１のＩＤ情報を復調し、
前記第１の同期信号または前記共通の補助同期信号が正常に検出されたときに行われた前記第１のＩＤ情報の復調が成功しなかった場合で前記検出された第２の同期信号が正常な場合前記記憶手段に記憶されている前記第２のＩＤ情報を復調し、
前記第２の同期信号が正常に検出されない場合で前記検出された補助同期信号が正常に検出された場合前記記憶手段に記憶されている前記第２のＩＤ情報を復調する、
ＩＤ情報再生方法。
【発明の詳細な説明】
【０００１】
【発明の属する技術分野】
本発明は、光磁気ディスク、光ディスクなどの光学式回転記録媒体、そのような光学式回転記録媒体からＩＤ情報（アドレス情報）を読みだして復元する光学式ＩＤ情報再生装置およびその方法に関する。
【０００２】
【従来の技術】
図７は光磁気ディスクの概要を図解した図である。
図８は図７に図解した光磁気ディスクの部分拡大図である。
ランドＬａｎｄとグルーブＧｒｏｏｖｅとは隣接して形成され、光磁気ディスクの中心から外縁向けて連続的にスパイラルに形成されている。これらランドＬａｎｄとグルーブＧｒｏｏｖｅにはそれぞれ、図解したＣＡＶ方式の光磁気ディスクの場合、等角度でヘッダＨｅａｄｅｒが設けられており、それぞれのヘッダＨｅａｄｅｒ内に位置を示すためのアドレス情報Ａｄｄｒｅｓｓが記録されている。
【０００３】
磁気ディスクなどの記録媒体に比較すると、光ディスク、光磁気ディスクなどの光学式回転記録媒体は欠陥が多い。アドレス情報Ａｄｄｒｅｓｓに欠陥が存在すると、その後のデータ記録部へのアクセスが出来なくなる。そのため、アドレス情報Ａｄｄｒｅｓｓの信頼性を向上を図って、種々の対策が講じられている。
【０００４】
図９（Ａ）は、図８に図解した光磁気ディスクの隣接するランド部分のみ拡大して図解した図である。
図９（Ａ）において、各ランド部分は、アドレス領域（ヘッダＨｅａｄｅｒ）ＬＡ１１と、記録領域（ディスク領域）ＬＤ１１とが連続している。
【０００５】
図９（Ｂ）は図９（Ａ）に図解したランド部分のうちアドレス領域（ヘッダＨｅａｄｅｒ）ＬＡ１１に記録される１例を図解した図である。
図９（Ｃ）は図９（Ａ）に図解したランド部分のうちアドレス領域に記録される他の例を図解した図である。
図９（Ｂ）、（Ｃ）における記号は下記を意味する。
【０００６】
【表１】
表１
ＳＭ：セクタマーク
ＶＦＯ（Variable Frequency Oscillation) ：可変周波数発振コード
ＡＭ(Address Mark)：アドレスマーク
ランドＩＤ：ランド部分の該当するＩＤ情報
ＣＲＣ(Cyclic Redundancy Code)：巡回冗長コード（エラー検出コード）
ＰＡ（Post Amble) ：後アンブル（たとえば、（１，７）変調規則を不足なく終了させるためのコード）
【０００７】
図９（Ｂ）において、アドレス領域に、セクターマークＳＭ、〔第１のＶＦＯ、第１のアドレスマークＡＭ１、第１のランドＩＤ情報ＩＤ１１、第１のＣＲＣ〕、〔第２のＶＦＯ、第２のアドレスマークＡＭ２、第２のランドＩＤ情報ＩＤ１１、第２のＣＲＣ〕、ＰＡが記録されている。
第１のＶＦＯと第２のＶＦＯとは同じコードにすることができる。第１のアドレスマークＡＭ１は第１のランドＩＤ情報ＩＤ１１を復調する際の同期信号となる。同様に、第２のアドレスマークＡＭ２は第２のランドＩＤ情報ＩＤ１１を復調する際の同期信号となる。第１のＩＤ情報と第２のＩＤ情報とは同じ値である。第１のアドレスマークＡＭ１と第２のアドレスマークＡＭ１とは共に同期信号として使用され、これらは同じデータパターンにすることができる。
【０００８】
図９（Ｃ）において、アドレス領域に、〔ＶＦＯ、アドレスマークＡＭ、ランドＩＤ情報ＩＤ１１、ＣＲＣ〕、ＰＡが記録されている。
【０００９】
図９（Ｃ）は、アドレス領域の長さが十分確保できない場合など、ランドＩＤ情報を１つのみ記録させた例を示す。図９（Ｂ）は、同じＩＤ情報を所定間隔だけ離間させて２つ記録させた例を示す。
図９（Ｂ）の図解の例は、ランドＩＤ情報を２個、所定の間隔を離隔させて記録しているので、たとえば、光磁気ディスクにスクラッチなどによるＩＤ情報の破壊が生じても、一方のＩＤ情報は破損されずに残るので、ＩＤ情報再生の信頼性が高くなる。
図９（Ｂ）に図解の例は、第１のＩＤ情報ＩＤ１１の直前に第１の同期信号として使用される第１のアドレスマークＡＭ１が記録されており、第２のＩＤ情報ＩＤ１１の直前に第２の同期信号として使用される第２のアドレスマークＡＭ２が記録されている。
【００１０】
【発明が解決しようとする課題】
図９（Ｃ）に図解した例においては、ランドＩＤ情報ＩＤ１１の破壊のみならず、同期信号として使用されるアドレスマークＡＭの破壊が生じた場合、ランドＩＤ情報を復調して再生することができない。このように同期信号として使用されるアドレスマークＡＭの重要性は高い。
【００１１】
図９（Ｂ）に図解した例において、たとえば、第１のアドレスマークＡＭ１が正常に検出できない場合、第２のアドレスマークＡＭ２が正常に検出できれば、その後に記録された第２のランドＩＤ情報ＩＤ１１を復調し、ＩＤ情報を再生することができる。
あるいは、図９（Ｂ）に図解した例において、第１のアドレスマークＡＭ１の検出が正常でも、第１のＩＤ情報ＩＤ１１の復調が正常に行われない場合、上記同様、第２のアドレスマークＡＭ２が正常に検出できれば、その後に記録された第２のランドＩＤ情報ＩＤ１１を復調し、ＩＤ情報を再生することができる。
【００１２】
しかしながら、上述した例において、第２のアドレスマークＡＭ２も正常に検出できない場合は、ＩＤ情報を復調し、再生することができない。
【００１３】
そのような場合の対策としては、たとえば、図９（Ｂ）に図解した、〔ＶＦＯ、アドレスマークＡＭ、ランドＩＤ情報ＩＤ、ＣＲＣ〕のデータ組をさらに１組以上光磁気ディスクのアドレス領域に記録すればよい。しかしながら、アドレス領域に格納できるデータの量には当然、制約がある。アドレス領域のデータ格納領域を拡張すると、当然、データ領域が狭くなり、光磁気ディスクに記録できるデータの量が少なくなる。
【００１４】
たとえば、光磁気ディスクの例として、最近、青色レーザの実用化、光磁気ディスクの記録密度の向上になどの技術的な背景のもと、たとえば、本出願人で平成１１年６月２２日に出願した、特願平１１−１７６０２９号、「光記録媒体及びディスクカートリッジ」において提示しているように、直径が３５ｍｍ〜６５ｍｍ程度で、記憶容量が２ＧＢ〜４ＧＢもの超小型・高密度化大容量の光磁気ディスクなどを例示すると、ＩＤ情報の信頼性の向上だけのために、ＩＤ情報の複数書きの回数は制限を受ける。
【００１５】
しかしながら、たとえば、そのような超小型光磁気ディスクにおいても欠陥は発生するから、上述した状況（制約）のもと、ＩＤ情報（アドレス情報）の再生の信頼性を高める効果的な方法の案出が望まれている。
もちろん、そのような問題は上述した超小型光磁気ディスクに限ったことではなく、既存の光磁気ディスク、光ディスクなどについても改善すべき問題ではある。
【００１６】
また、上述した例は、ランド部分のＩＤ情報について述べたが、グルーブ部分のＩＤ情報についても同様である。
【００１７】
本発明の第１の目的は、アドレス情報領域（ヘッダ領域）を大きく拡張しないで、ＩＤ情報の復調および再生、とりわけ、同期信号の検出の信頼性を向上させ得る、光学式回転記録媒体を提供することにある。
本発明の第２の目的は、そのような光学式回転記録媒体から効果的にＩＤ情報を復調し、再生し得る、ＩＤ情報再生装置およびその方法を提供することにある。
【００１８】
【課題を解決するための手段】
本発明によれば、ランド、および／または、グルーブを有する光学式回転記録媒体の１アドレス情報記録領域に、当該光学式回転記録媒体の回転方向に沿って、１つのＩＤ情報に対して、第１の同期信号と、ＩＤ情報と、前記第１の同期信号が記録されている位置に対して当該光学式回転記録媒体に欠陥が生ずる推定距離より離間した位置に第２の同期信号とが、この順序で、かつ、前記第１の同期信号と前記ＩＤ情報と前記第２の同期信号とを１組として、少なくとも１組記録されており、
当該光学式回転記録媒体の回転方向に沿って前記ＩＤ情報の前の位置に記録されている前記第１の同期信号は、前記ＩＤ情報を復調するために用いる同期信号であり、
当該光学式回転記録媒体の回転方向に沿って前記ＩＤ情報の後の位置に記録されている前記第２の同期信号は、前記第１の同期信号が正常に検出できなかった場合に、前記ＩＤ情報を復調するために用いる同期信号である、
光学式回転記録媒体が提供される。
同期信号を複数個記録することにより、同期信号の検出の信頼性が向上する。同期信号のデータ量は、ＩＤ情報のデータ量よりも短いから、少ないデータ量でＩＤ情報の再生の信頼性を高めることができる。その結果、データ記憶領域が減少する弊害が少ない。
【００１９】
上記光学式回転記録媒体としては、光と磁気を用いる光磁気ディスク、光のみを用いる、相変化ディスク、再生専用光ディスク、ＣＤ、など種々の光学式回転記録媒体が対象となる。本明細書において、これを総称して光学式回転記録媒体という。
【００２０】
前記第２の同期信号が、前記第１の同期信号が記録されている位置に対して当該光学式回転記録媒体に欠陥が生ずる推定距離より離間した位置に記録されていることにより、スクラッチなどに連続的な長さの傷、ゴミなどの付着物の影響を極力排除することが可能となる。
欠陥が生ずる推定距離とは、統計的にみて通常のスクラッチの長さ以内であり、かつ、光学式回転記録媒体のアドレス領域内の許容範囲の距離を言う。
【００２１】
好ましくは、前記第１の同期信号と前記第２の同期信号とは信号パターンが異なる。同期信号のパターンの識別を容易にするためである。
また好ましくは、前記第１の同期信号と、前記ＩＤ情報と、前記第２の同期信号の組が複数組存在するとき、これらの複数の組の各１組の情報が記録されている領域の前の位置に、位相同期を行うための信号が記録されている。
【００２６】
また本発明によれば、ランド、および／または、グルーブを有する光学式回転記録媒体の１アドレス情報記録領域に、当該光学式回転記録媒体の回転方向に沿って、
第１の同期信号、
第１のＩＤ情報、
第２の同期信号、
第２のＩＤ情報、
共通の補助同期信号
が上記の順序で、記録されており、
前記共通の補助同期信号は、前記第１の同期信号が記録されている位置および前記第２の同期信号が記録されている位置に対して当該光学式回転記録媒体に欠陥が生ずる推定距離より離間した位置に記録されており、
当該光学式回転記録媒体の回転方向に沿って前記第１のＩＤ情報が記録された位置の前の位置に記録されている前記第１の同期信号は前記第１のＩＤ情報を復調するために用いる同期信号であり、
当該光学式回転記録媒体の回転方向に沿って前記第１の同期信号が記録された位置の後の位置に記録されている前記共通の補助同期信号は、前記第１の同期信号が正常に検出できないときに前記第１のＩＤ情報を復調するために用いる同期信号であり、
当該光学式回転記録媒体の回転方向に沿って前記第２のＩＤ情報が記録された位置の前の位置に記録されている前記第２の同期信号は、前記第１の同期信号または前記共通の補助同期信号が正常な場合に行われる前記第１のＩＤ情報の復調が成功しなかった場合に前記第２のＩＤ情報を復調するために用いる同期信号であり、
当該光学式回転記録媒体の回転方向に沿って前記第１の同期信号が記録された位置の後の位置に記録されている前記共通の補助同期信号は、前記第２の同期信号が正常に検出できない場合に前記第２のＩＤ情報を復調するために用いる同期信号である、
光学式回転記録媒体が提供される。
【００２７】
好ましくは、前記共通の補助同期信号の信号パターンは、前記第１の同期信号および前記第２の同期信号それぞれの信号パターンとは異なる。同期信号の識別を容易にするためである。
【００２８】
本発明によれば、ランド、および／または、グルーブを有する光学式回転記録媒体の１アドレス情報記録領域に、１つのＩＤ情報に対して複数の同期信号が記録位置を離間させて記録されている光学式回転記録媒体から、前記ＩＤ情報を読みだすＩＤ情報読み出し手段と、前記ＩＤ情報読み出し手段で読みだしたＩＤ情報および前記複数の同期信号を含むデータを読みだした順序で記憶する記憶手段と、前記複数の同期信号を検出する同期信号検出手段と、該検出された同期信号のうち１つの同期信号が正常な場合、前記記憶手段に記憶されているＩＤ情報を復調する復調手段とを具備する、ＩＤ情報再生装置が提供される。
記憶手段を設けて、読みだしてＩＤ情報および複数の同期信号を含むデータを一時的に格納する。このような記憶手段を、データバッファとして使用することにより、同期信号の記録位置を任意にすることができる。換言すれば、同期信号の読み出し位置は、信号処理の順序に制約を受けない。
復調手段は、ＩＤ情報の記録位置の前に記録された同期信号が正常に検出された場合はその同期信号でＩＤ情報を復調し、そのような前置された同期信号の正常な検出が行われない場合、ＩＤ情報の後に位置する同期信号が正常に検出された場合、その同期信号の前に位置したＩＤ情報を復調する。すなわち、このように、後に位置する同期信号より時間的に先に読みだされたＩＤ情報を復調するため、記憶手段に読みだしてデータを一時的に格納しておく。
【００２９】
好ましくは、前記光学式回転記録媒体は、１アドレス情報記録領域に、当該光学式回転記録媒体の回転方向に沿って、１つのＩＤ情報に対して、第１の同期信号と、ＩＤ情報と、前記第１の同期信号が記録される位置に対して当該光学式回転記録媒体に欠陥が生ずる推定距離より離間した位置に第２の同期信号とが、この順序で、かつ、前記第１の同期信号と前記ＩＤ情報と前記第２の同期信号とを１組として、少なくとも１組記録されており、当該光学式回転記録媒体の回転方向に沿って前記ＩＤ情報の前の位置に記録されている前記第１の同期信号は、前記ＩＤ情報を復調するために用いる同期信号であり、当該光学式回転記録媒体の回転方向に沿って前記ＩＤ情報の後の位置に記録されている前記第２の同期信号は、前記第１の同期信号が正常に検出できなかった場合に、前記ＩＤ情報を復調するために用いる同期信号である。前記記憶手段は、前記ＩＤ情報読み出し手段で読みだした前記第１の同期信号、前記ＩＤ情報、前記第２の同期信号を含むデータを読みだした順序で記憶し、前記復調手段は、前記第１の同期信号が正常な場合前記ＩＤ情報を復調し、前記第１の同期信号が正常に検出できなかった場合で前記第２の同期信号が正常に検出された場合前記ＩＤ情報を復調する。
【００３０】
本発明によれば、ランド、および／または、グルーブを有する光学式回転記録媒体の１アドレス情報記録領域に、当該光学式回転記録媒体の回転方向に沿って、第１の同期信号、ＩＤ情報および第２の同期信号が、この順序で記録されている、光学式回転記録媒体から、前記第１の同期信号、前記ＩＤ情報および前記第２の同期信号を含むデータを読みだすＩＤ情報読み出し手段と、該ＩＤ情報読み出し手段で読みだした、前記第１の同期信号、前記ＩＤ情報および前記第２の同期信号を含むデータを、読みだした順序で記憶する記憶手段と、前記記憶手段に記憶したデータの中から、前記第１の同期信号および前記第２の同期信号を検出する同期信号検出手段と、前記検出された第１の同期信号が正常な場合前記記憶手段に記憶されている前記ＩＤ情報を復調し、前記第１の同期信号が正常に検出されない場合、かつ、前記第２の同期信号が正常に検出された場合前記記憶手段に記憶されている前記ＩＤ情報を復調する復調手段とを具備する、ＩＤ情報再生装置が提供される。
【００３１】
本発明によれば、ランド、および／または、グルーブを有する光学式回転記録媒体の１アドレス情報記録領域に、当該光学式回転記録媒体の回転方向に沿って、第１の同期信号、ＩＤ情報および第２の同期信号が、この順序で記録されている、光学式回転記録媒体から、前記第１の同期信号、前記ＩＤ情報および前記第２の同期信号を含むデータを読みだすＩＤ情報読み出し工程と、該ＩＤ情報読み出し工程で読みだした、前記第１の同期信号、前記ＩＤ情報および前記第２の同期信号を含むデータを、読みだした順序で記憶手段に記憶する記憶工程と、前記記憶手段に記憶したデータの中から、前記第１の同期信号および前記第２の同期信号を検出する同期信号検出工程と、前記検出された第１の同期信号が正常な場合前記記憶手段に記憶されている前記ＩＤ情報を復調し、前記第１の同期信号が正常に検出されない場合、かつ、前記第２の同期信号が正常に検出された場合前記記憶手段に記憶されている前記ＩＤ情報を復調する復調工程とを具備する、ＩＤ情報再生方法が提供される。
【００３２】
本発明によれば、ランド、および／または、グルーブを有する光学式回転記録媒体の１アドレス情報記録領域に、当該光学式回転記録媒体の回転方向に沿って、第１の同期信号および第１のＩＤ情報、第２の同期信号および第２のＩＤ情報、および、共通の補助同期信号が上記の順序で記録されており、当該光学式回転記録媒体の回転方向に沿って前記第１のＩＤ情報が記録されている位置の前の位置に記録されている前記第１の同期信号は前記第１のＩＤ情報を復調するために用いる同期信号であり、当該光学式回転記録媒体の回転方向に沿って前記第２のＩＤ情報が記録されている位置の前の位置に記録されている前記第２の同期信号は前記第２のＩＤ情報を復調するために用いる同期信号であり、前記共通の補助同期信号は、前記第１の同期信号が記録されている位置および前記第２の同期信号が記録されている位置に対して当該光学式回転記録媒体に欠陥が生ずる推定距離より離間した位置に記録されており、前記共通の補助同期信号は、前記第１の同期信号または前記第２の同期信号が正常に検出できない場合に、当該正常に検出できない同期信号に代わって、前記第１のＩＤ情報または前記第２のＩＤ情報を復調するために用いる同期信号である、光学式回転記録媒体から、前記第１の同期信号、前記第１のＩＤ情報、前記第２の同期信号、前記第２のＩＤ情報、および、前記共通の補助同期信号を含むデータを読みだす、ＩＤ情報読み出し手段と、
前記ＩＤ情報読み出し手段で読みだした、前記第１の同期信号、前記第１のＩＤ情報、前記第２の同期信号、前記第１のＩＤ情報、および、前記共通の補助同期信号を含むデータを、読みだした順序で記憶する記憶手段と、
前記記憶手段に記憶したデータの中から、前記第１の同期信号、前記第２の同期信号および前記共通の補助同期信号を検出する同期信号検出手段と、
復調手段と
を有し、
前記復調手段は、
前記検出された第１の同期信号が正常な場合前記記憶手段に記憶されている前記第１のＩＤ情報を復調し、
前記第１の同期信号が正常に検出できない場合で前記検出された共通の補助同期信号が正常に検出できた場合、前記第１のＩＤ情報を復調し、
前記第１の同期信号または前記共通の補助同期信号が正常に検出されたときに行われた前記第１のＩＤ情報の復調が成功しなかった場合に前記検出された第２の同期信号が正常な場合前記記憶手段に記憶されている前記第２のＩＤ情報を復調し、
前記第２の同期信号が正常に検出されない場合で前記検出された補助同期信号が正常に検出された場合前記記憶手段に記憶されている前記第２のＩＤ情報を復調する、
ＩＤ情報再生装置が提供される。
また本発明によれば、上記ＩＤ情報再生装置におけるＩＤ情報再生方法が提供される。
【００３３】
【発明の実施の形態】
本発明の光学式回転記録媒体としては、光と磁気を用いる光磁気ディスク、光のみを用いる、相変化ディスク、再生専用光ディスク、ＣＤなど種々の光学式回転記録媒体が対象となる。本明細書において、これを総称して光学式回転記録媒体と呼ぶ。
下記の記述において、本発明の光学式回転記録媒体の実施の形態として、記録・再生が可能な上述した超小型光磁気ディスク、すなわち、直径が３５ｍｍ〜６４ｍｍ程度で、記憶容量が２ＧＢ以上、たとえば、２ＧＢ〜４ＧＢを実現する超小型・高密度化大容量の光磁気ディスクを例示する。
【００３４】
図１（Ａ）は、図９（Ａ）に図解した図に対応する図７および図８に図解した光磁気ディスクにおけるランド部分の分拡大図である。図９（Ａ）に図解した内容は、図７および図８を参照して上述した。図１（Ａ）の図解の内容は、図９（Ａ）の図解の内容と同じであるので、図１（Ａ）の図解の内容の記述は割愛する。
本実施の形態においても、ランド部分を使用した場合の光磁気ディスクを例示するが、ランド部分に代えてグルーブ部分を使用する光磁気ディスクでもよいし、ランド部分とグルーブ部分の両者を使用する光磁気ディスクでもよい。
【００３５】
図１（Ｂ）〜（Ｃ）は、図９（Ｂ）に図解した図に対応する本発明の光学式回転記録媒体の第１および第２実施の形態としてのアドレス情報の記録フォーマットを図解する図である。図１（Ｄ）は、図９（Ｃ）に図解した図に対応する本発明の光学式回転記録媒体の第３実施の形態としてのアドレス情報の記録フォーマットを図解する図である。これらの図解の内容については詳述する。
【００３６】
図２は本発明の光磁気記憶・再生装置におけるＩＤ情報再生装置の１実施の形態としての構成図であり、光磁気ディスクにデータを書き込み、光磁気ディスクからデータを読みだす光磁気記憶・再生装置の構成図である。本発明におけるＩＤ情報再生装置とは、特に下記に述べる、光磁気記憶・再生装置におけるＩＤ情報再生部分を意味する。
【００３７】
図２に図解した光磁気記憶・再生装置は、上記記録・再生が可能な超小型光磁気ディスク１にデータを記録し、光磁気ディスク１に記録されたデータを再生する。
光磁気記録・再生装置は、光磁気記録装置と光磁気再生装置とを合体した構成をしており、これらの共通部分として、スピンドルモータ１７と、スピンドルモータ１７を制御するスピンドルサーボ回路２と、ピックアップ３と、サーボ回路４と、ＩＤ情報復号回路７と、トラッキング制御回路１６と、コントローラ８がある。ピックアップ３内には、図解しない、レーザダイオード、ビームスプリッタ、対物レンズ、フォトデテクタなどが収容されている。
【００３８】
光磁気記録装置に該当する部分は、エラー訂正コード付加回路９、変調回路１０、マグネット駆動回路１１、外部磁界発生用コイル５およびレーザーパワー制御回路６である。
【００３９】
光磁気再生装置に該当する部分は、レーザーパワー制御回路６と、イコライザ１２、ＲＦ信号２値化回路１３、データ復調回路１４、データエラー訂正復号回路１５である。
【００４０】
図２に図解した光磁気記録・再生装置には、トラッキング制御回路１６が設けられているが、フォーカス制御回路を図解していない。すなわち、本実施の形態においては、ピックアップ３はたとえば、フライングヘッド方式のピックアップであり、対物レンズが搭載されたスライダ部分が光磁気ディスク１の回転に伴う風圧で光磁気ディスク１から所定距離だけ浮上してフォーカス制御が不要な場合を例示している。もちろん、フォーカス制御を行うピックアップであっても、本発明は適用可能であり、フォーカス制御の有無は本願発明の主題ではない。
【００４１】
スピンドルサーボ回路２はスピンドルモータ１７の回転数を制御して光磁気ディスク１を所定の回転数で回転させる。
トラッキング制御回路１６は、サーボ回路４を介してピックアップ３を記録または再生すべき位置に位置決めする。ピックアップ３の位置はフォトデテクタの検出信号を参照してＩＤ情報復号回路７で算出する。ＩＤ情報復号回路７の構成および動作の詳細は後述する。
コントローラ８は光磁気記録・再生装置における後述する種々の制御を管理する。
【００４２】
ピックアップ３のレーザダイオードから出射されたレーザビームの延長線上に外部磁界発生用コイル５が位置する。ピックアップ３内のレーザダイオードの出力は、データ記録時とデータ再生時とで異なるが、レーザーパワー制御回路６がそのパワー制御を行う。
ピックアップ３は、たとえば、光磁気ディスク１に凹凸のピットとして記録されているアドレス情報を光強度信号ＰＩＴＲＦとして読み出し、読みだした信号をＩＤ情報復号回路７で復号する。すなわち、ＩＤ情報復号回路７は光磁気ディスク１のトラックアドレス情報などを復号して、位置とアドレス情報をコントローラ８およびトラッキング制御回路１６に送出する。コントローラ８はそれらの情報を参照してデータの記録またはデータの再生の制御を行い、トラッキング制御回路１６はピックアップ３の位置決め制御を行う。
【００４３】
光磁気記録・再生装置における通常のデータの記録動作を述べる。
データ記録動作時、コントローラ８はトラッキング制御回路１６を起動する。トラッキング制御回路１６はサーボ回路４を制御してピックアップ３をデータ記録すべき位置に位置決めさせる。記録すべきデータがエラー訂正コード付加回路９に入力されると、エラー訂正コード付加回路９は記録すべきデータにエラー訂正コードを付加する。エラー訂正コードが付加された記録すべきデータは変調回路１０で変調される。変調回路１０における変調は光磁気ディスク１などの種別に応じて適切な変調が行われる。光磁気ディスク１については、たとえば、１６／１７変換を行う。もちろん、その他の変調、たとえば、ＤＶＤではＥＦＭプラス変調などを行うこともできる。マグネット駆動回路１１は、変調回路１０において変調された記録すべきデータの極性、すなわち、１か０かに応じて光磁気ディスク１の記録膜に正負の極性の磁界が発生されるように外部磁界発生用コイル５を駆動する。このとき、コントローラ８はレーザーパワー制御回路６にピックアップ３内のレーザダイオードをデータ記録可能な高出力駆動可能状態にするように指令し、ピックアップ３内のレーザダイオードは高出力状態で駆動され、その高出力レーザダイオードビームによって外部磁界発生用コイル５による磁界の極性に応じた記録マークが光磁気ディスク１の記録膜に形成される。
【００４４】
光磁気記録・再生装置における通常のデータの再生動作を述べる。
データ再生動作時、コントローラ８はトラッキング制御回路１６を起動する。トラッキング制御回路１６はサーボ回路４を制御してピックアップ３をデータ再生すべき位置に位置決めさせる。ピックアップ３内のデテクタによって光磁気ディスク１に記録されている光磁気信号（ＭＯ信号）のＲＦ信号が生成され、イコライザ１２に入力されて波形整形（等化）される。イコライザ１２の出力信号がＲＦ信号２値化回路１３において２値比較されて、１か０かのディジタル信号に識別される。データ復調回路１４は変調回路１０と逆の処理、すなわち，復調処理を行う。データエラー訂正復号回路１５は復調されたディジタル信号に誤りがあった場合、エラー訂正を行う。このようにして再生されたデータが外部装置、たとえば、ホストコンピュータに送出される。
【００４５】
上述したデータ記録またはデータ再生を行う前提として、ピックアップ３が正確に光磁気ディスク１の所望の位置に位置決めされることが必要である。しかしながら、光ディスク、光磁気ディスクは傷、欠陥など伴うデータの欠落が発生する可能性が高く、記録データの信頼性が低い。
【００４６】
そこで、図１（Ｂ）、（Ｃ）に図解したように、１アドレス領域（ヘッダー領域）に、２つのＩＤ情報（またはアドレス情報）を記録している。
【００４７】
第１実施の形態
図１（Ｂ）、図２、図３および図４を参照して本発明の第１実施の形態としての光学式回転記録媒体、ＩＤ情報再生装置およびその方法について述べる。
【００４８】
図１（Ｂ）に図解した光磁気ディスク１のランド部分の１つのアドレス領域には、セクターマークＳＭ、〔第１のＶＦＯ１、第１のアドレスマークＡＭ１、第１のランドＩＤ情報ＩＤ１１、第１のＣＲＣ１、および、第１の補助同期信号ＰＡＭ１〕、〔第２のＶＦＯ１、第２のアドレスマークＡＭ２、第２のランドＩＤ情報ＩＤ１１、第２のＣＲＣ２、および、第２の補助同期信号ＰＡＭ２〕が記録されている。
図１（Ｂ）における記号は、表１に示したものと同じである。
【００４９】
〔ＶＦＯ、アドレスマークＡＭ、ランドＩＤ情報、巡回型冗長コードＣＲＣ、補助同期信号ＰＡＭ〕のデータ組が２つが続けて光磁気ディスク１のアドレス領域に記録されている。すなわち、ＶＦＯと、同期信号としてのアドレスマークＡＭと、ＩＤ情報と、ＣＲＣと、補助同期信号ＰＡＭとがデータ組が２組続けて光磁気ディスク１のアドレス領域に記録されている。
ＡＭ，ＰＡＭとしては、データパターンに出てこないパターンを用いており、変調方式としてたとえば、「０」→「０１」，「１」→「１０」に変調するＰＥ（phase encode）変調方式を用いた場合、たとえば、下記のデータとなる。
ＡＭ＝１１１０００１１１０００
ＲＡＭ＝１１１１００００１１００
【００５０】
ＶＦＯは、たとえば、図２に図解したＩＤ復号回路７において、位相同期（ＰＬＬ）を行ってクロックを再生するための連続したデータが続く部分である。
アドレスマークＡＭは、ＩＤ情報復号回路７において同期信号として使用するものであり、特定のデータパターンを持つ。
ランドＩＤ情報は、たとえば、ＩＤ復号回路７で復調される、図１（Ａ）に図解した該当するランドのＩＤ情報、たとえば、アドレス情報を示すデータである。
ＣＲＣは巡回型冗長コードであり、たとえば、ＩＤ復号回路７において、エラー訂正などに使用する。
【００５１】
補助同期信号ＰＡＭ（PostＡＭ）は、本実施の形態においては、主同期信号としてのアドレスマークＡＭおよびＩＤ情報の後の位置に記録されていて、アドレスマークＡＭが正常に検出できない場合に、たとえは、ＩＤ情報復号回路７において、アドレスマークＡＭに代わって使用される同期信号である。すなわち、補助同期信号ＰＡＭは、主同期信号であるアドレスマークＡＭが検出出来ない場合に使用する、冗長な同期信号であり、本実施の形態は、主同期信号であるアドレスマークＡＭの信頼性を高めたデータフォーマットとしている。
【００５２】
図９（Ｂ）図解したデータフォーマットと、図１（Ｂ）に図解したデータフォーマットとを比較すると、図１（Ｂ）に図解したデータフォーマットにおいては、ＩＤ情報ごとに、アドレスマークＡＭと補助同期信号ＰＡＭが設けられており、図９（Ｂ）の最後のＰＡ（Post Amble) はない。逆に、図９（Ｂ）から比較すると、図９（Ｂ）のデータフォーマットは、１つのＩＤ情報の前に１つのアドレスマークＡＭが設けられているだけであり、補助同期信号ＰＡＭはない。
補助同期信号ＰＡＭは、アドレスマークＡＭと同様なデータパターンを持つ信号であり、ＩＤ情報に比較するとデータ長さは格段に短い。したがって、本実施の形態は、アドレス領域を少し拡張するだけで、あるいは、アドレス領域の不使用部分を補助同期信号ＰＡＭに活用することにより、図９（Ｂ）に図解した光磁気ディスクよりも、１つのＩＤ情報に対して同期信号の信頼性を２倍高めることができ、図解の例は、２つのＩＤ情報が存在するから、４倍信頼性を高めることができる。
【００５３】
本実施の形態において、第１のＩＤ情報ＩＤ１１と第２のＩＤ情報ＩＤ１１とは同じＩＤ情報である。また、位相同期（ＰＬＬ）を行ってクロックを再生するための連続したデータが続く第１のＶＦＯ１と、第２のＶＦＯ２とは同じデータにしている。さらに、同期信号としての第１のアドレスマークＡＭ１と第２のアドレスマークＡＭ２とは同じデータパターンにしている。
【００５４】
光磁気ディスク１にそのようなアドレス情報の記録方法は種々の方法がある。たとえば、図３に図解した光磁気記録・再生装置とは異なる専用のアドレス情報記録装置で光磁気ディスク１に上述したデータ（情報）をピットとして記録する。
【００５５】
再生方法と装置
次いで、図１（Ｂ）を参照して上述したアドレス領域（ヘッダ領域）内のデータを読み取り、再生する第１実施の形態の装置と方法を述べる。
図３は、図２に図解したＩＤ情報復号回路７の本実施の形態に関連する部分の構成図である。
ＩＤ情報復号回路７は、ＩＤデータバッファ７１と、アドレスマーク（ＡＭ）検出回路７２と、補助同期信号（ＰＡＭ）検出回路７３と、制御回路７４と、ＩＤデータ復調回路７５と、エラー検出回路７６とを有する。
【００５６】
ＩＤデータバッファ７１は、図２に図解したピックアップ３で検出したピットＲＦ信号を順次記憶する。
ＩＤデータバッファ７１は、図１（Ｂ）に図解したデータを順次格納可能な記憶容量を持つ。ＩＤデータバッファ７１は、たとえば、アドレスマークＡＭや補助同期信号ＰＡＭが検出されたタイミングで、制御回路７４からの制御信号で記憶したデータが読み出される。したがって、以下に述べるＩＤ情報の復調および再生の開始タイミングごと、ＩＤデータバッファ７１のデータは読み出される。
【００５７】
ＡＭ検出回路７２は、ＩＤデータバッファ７１に記憶されたデータのうち、アドレスマークＡＭを検出する。ＡＭ検出回路７２は、ＩＤデータバッファ７１の内部を常時監視しており、ＩＤデータバッファ７１内で所定のアドレスマークＡＭのデータパターンを捜す。もし、アドレスマークＡＭのデータパターンが検出されたら、その位置を制御回路７４に教える。
【００５８】
同様に、ＰＡＭ検出回路７３は、ＩＤデータバッファ７１に記憶されたデータのうち、補助同期信号ＰＡＭを検出する。ＰＡＭ検出回路７３は、ＩＤデータバッファ７１の内部を常時監視しており、ＩＤデータバッファ内で所定の補助同期信号ＰＡＭのデータパターンを捜す。もし、補助同期信号ＰＡＭのデータパターンが検出されたら、その位置を制御回路７４に教える。
【００５９】
制御回路７４はＡＭ検出回路７２で検出されたアドレスマークＡＭおよびＰＡＭ検出回路７３で検出された補助同期信号ＰＡＭを入力して、ＩＤデータ復調回路７５と協動してＩＤ情報を復調する。エラー検出回路７６は復調したデータが正常か否かを検出する。
制御回路７４およびエラー検出回路７６における第１実施の形態の処理を図４のフローチャートを参照して述べる。制御回路７４およびエラー検出回路７６はそれぞれ、たとえば、マイクロコンピュータを内蔵しており、図４に図解する処理を行う。
【００６０】
第１のＩＤ情報の正常検出処理
制御回路７４はステップ０１（Ｓ０１）において、アドレスマーク（ＡＭ）検出回路７２において検出した第１のアドレスマークＡＭ１が正常か否かを判断する。第１のアドレスマークＡＭ１が正常な場合、制御回路７４はステップ０２（Ｓ０２）において、ＩＤデータバッファ７１から第１のＩＤ情報を読みだしてＩＤデータ復調回路７５に入力し、ＩＤデータ復調回路７５において第１のＩＤ情報を復調させる。エラー検出回路７６はステップ０３（Ｓ０３）において、復調した第１のＩＤ情報が正常か否かを判断する。
【００６１】
復調したＩＤ情報が正常な場合、エラー検出回路７６はステップ０４（Ｓ０４）において、エラーフラグをリセットとし、復調したＩＤ情報を、コントローラ８およびトラッキング制御回路１６に送出する。正常に復調したＩＤ情報はトラッキング制御回路１６においてトラッキング制御に使用される。
【００６２】
第１のアドレスマークＡＭの検出不良（不可）の場合
ステップ０１（Ｓ０１）において制御回路７４はアドレスマーク（ＡＭ）検出回路７２における第１のアドレスマークＡＭ１の検出が不良であることを検出した場合、制御回路７４はステップ０５（Ｓ０５）において補助同期信号（ＰＡＭ）検出回路７３で検出した第１の補助同期信号ＰＡＭ１が正常か否かを判断する。第１の補助同期信号ＰＡＭ１が正常な場合、制御回路７４はステップ０６（Ｓ０６）において、ＩＤデータバッファ７１からＩＤ情報を読みだしてＩＤデータ復調回路７５に入力し、ＩＤデータ復調回路７５において第１のＩＤ情報を復調させる。エラー検出回路７６はステップ０７（Ｓ０７）において、復調した第１のＩＤ情報が正常か否かを判断する。復調した第１のＩＤ情報が正常な場合、上述したステップ０４（Ｓ０４）の処理を行う。この場合も第１のＩＤ情報が正常に復調される。すなわち、第１のアドレスマークＡＭ１がスクラッチなどで破壊されていたとしても、第１の補助同期信号ＰＡＭ１を用いて第１のＩＤ情報を復調することができる。
【００６３】
なお、本実施の形態においては、ＩＤデータバッファ７１にアドレス領域に記録されたデータを一旦記憶するので、第１のアドレスマークＡＭ１の確認後第１のＩＤ情報の復調が可能なだけでなく、第１のＩＤ情報の後に読みだされた第１の補助同期信号ＰＡＭ１の正常な検出を確認して第１のＩＤ情報を復調することができる。すなわち、本実施の形態においては、第１のアドレスマークＡＭ１、第１のＩＤ情報、第１の補助同期信号ＰＡＭ１の位置は、上述した信号処理において制約を受けない。
【００６４】
第１のＩＤ情報の復調ができない場合
制御回路７４は、ステップ０３、ステップ０５、ステップ０７において、第１のＩＤ情報の復調ができない場合、ステップ０８（Ｓ０８）において、アドレスマーク（ＡＭ）検出回路７２において検出した第２のアドレスマークＡＭ２が正常か否かを判断する。アドレスマークＡＭ２が正常な場合、制御回路７４はステップ０９（Ｓ０９）において、ＩＤデータバッファ７１から第２のＩＤ情報を読みだしてＩＤデータ復調回路７５に入力し、ＩＤデータ復調回路７５において第２のＩＤ情報を復調させる。エラー検出回路７６はステップ１０（Ｓ１０）において、復調した第２のＩＤ情報が正常か否かを判断する。
【００６５】
復調した第２のＩＤ情報が正常な場合、上述したステップ０４（Ｓ０４）の処理を行う。この場合も第２のＩＤ情報が正常に復調される。すなわち、第１のアドレスマークＡＭ１、第１のＩＤ情報、第１の補助同期信号ＰＡＭなどがスクラッチなどで破壊されていたとしても、第２のアドレスマークＡＭ２および第２のＩＤ情報を用いて第２のＩＤ情報を復調することができる。第２のＩＤ情報も、第１のＩＤ情報と同じであるから、正常に復調した第２のＩＤ情報はトラッキング制御回路１６においてトラッキング制御に使用される。
【００６６】
第２のアドレスマークＡＭの検出不良（不可）の場合
ステップ０８（Ｓ０８）において制御回路７４はアドレスマーク（ＡＭ）検出回路７２における第２のアドレスマークＡＭ２の検出が不良であることを検出した場合、制御回路７４はステップ１１（Ｓ１１）において補助同期信号（ＰＡＭ）検出回路７３とで検出した第２の補助同期信号ＰＡＭ２が正常か否かを判断する。第２の補助同期信号ＰＡＭ２が正常な場合、制御回路７４はステップ１２（Ｓ１２）において、ＩＤデータバッファ７１からＩＤ情報を読みだしてＩＤデータ復調回路７５に入力し、ＩＤデータ復調回路７５において第２のＩＤ情報を復調させる。エラー検出回路７６はステップ１３（Ｓ１３）において、復調した第２のＩＤ情報が正常か否かを判断する。復調した第２のＩＤ情報が正常な場合、上述したステップ０４（Ｓ０４）の処理を行う。この場合も第２のＩＤ情報が正常に復調される。すなわち、第２のアドレスマークＡＭ２がスクラッチなどで破壊されていたとしても、第２の補助同期信号ＰＡＭ２を用いて第２のＩＤ情報を復調することができる。
【００６７】
制御回路７４がステップ１１において第２の補助同期信号ＰＡＭ２が正常に検出されていないと判断したとき、エラー検出回路７６がステップ１０またはステップ１３においてＩＤ情報が正常に復調されていないと判断したとき、エラー検出回路７６はステップ１４（Ｓ１４）において、エラーフラグをセットする。この場合は、正常なＩＤ情報は復調されない。
【００６８】
以上のように、本実施の形態においては、（１）第１のアドレスマークＡＭ１か第１の補助同期信号ＰＡＭ１が正常に検出でき、第１のＩＤ情報が正常に復調されるか、（２）第２のアドレスマークＡＭ２か第２の補助同期信号ＰＡＭ２が正常に検出でき、第２のＩＤ情報が正常に復調されればよく、ＩＤ情報の復調の信頼度が非常に高まる。
【００６９】
本実施の形態は、比較的データ長さの短い補助同期信号ＰＡＭを付加することにより、同期信号の信頼性を高めることができ、アドレス領域を特別拡張する必要はない。換言すれば、少ないデータを付加することにより、同期信号の信頼性を高めることができる。
【００７０】
また、本実施の形態においては、ＩＤデータバッファ７１にアドレス領域に記録されたデータを一旦記憶するので、第１のアドレスマークＡＭ１の確認後第１のＩＤ情報の復調が可能なだけでなく、第１のＩＤ情報の後に読みだされた第１の補助同期信号ＰＡＭ１の正常な検出を確認して第１のＩＤ情報を復調することができる。すなわち、本実施の形態においては、第１のアドレスマークＡＭ１、第１のＩＤ情報、第１の補助同期信号ＰＡＭ１の位置は、上述した信号処理において制約を受けない。第２のアドレスマークＡＭ２、第２のＩＤ情報、第２の補助同期信号ＰＡＭ２の位置関係も同様に制約を受けないという特徴を有する。
【００７１】
その結果、図１（Ｂ）に図解したデータフォーマットは、ＩＤ情報の復調に関する限り、任意に配置することができる。その例を図１（Ｃ）を参照して第２実施の形態として後述する。
【００７２】
光磁気ディスク１のアドレス領域のデータの配置およびデータパターン
上述した事実に基づき、光磁気ディスク１のランド部分の１つのアドレス領域に記憶する、データの配置、パターンについて述べる。
図１（Ｂ）に例示した、光磁気ディスク１のランド部分の１つのアドレス領域に記録された、〔第１のＶＦＯ１、第１のアドレスマークＡＭ１、第１のランドＩＤ情報ＩＤ１１、第１のＣＲＣ１、および、第１の補助同期信号ＰＡＭ１〕について（〔第２のＶＦＯ２、第２のアドレスマークＡＭ２、第２のランドＩＤ情報ＩＤ１１、第２のＣＲＣ２、および、第２の補助同期信号ＰＡＭ２〕についても同様である）、第１のアドレスマークＡＭ１と、第１の補助同期信号ＰＡＭ１とは互いに離れた位置に配置されることが望ましい。その理由は、それらが所定距離だけ、離隔していると、スクラッチなどにより、第１のアドレスマークＡＭ１と第１の補助同期信号ＰＡＭ１とが同時に破壊されず、信頼性を高めるからである。図１（Ｂ）に図解した例では、第１のアドレスマークＡＭ１と第１の補助同期信号ＰＡＭ１との間には、第１のＩＤ情報が配置されており、第１のアドレスマークＡＭ１と第１の補助同期信号ＰＡＭ１との間にはＩＤ情報が記憶されている距離だけ離隔している。
このことは、換言すれば、ＩＤ情報の前後の位置に、第１のアドレスマークＡＭ１と第１の補助同期信号ＰＡＭ１とが分散して配置されているとも言える。
【００７３】
アドレスマークＡＭ１と補助同期信号ＰＡＭ１とのデータパターンは異なることが好ましい。ＩＤデータバッファ７１からデータを読みだして検出するアドレスマーク（ＡＭ）検出回路７２および補助同期信号（ＰＡＭ）検出回路７３とにおける識別が明確になるからである。
【００７４】
第１実施の形態の変形態様
補助同期信号ＰＡＭは１個に限らず、１つのＩＤ情報に対して複数個記録することができる。２個以上の補助同期信号ＰＡＭはアドレス領域の不使用部分の任意に記録することができる。そのような場合、制御回路７４は、補助同期信号ＰＡＭの数だけ、ステップ０５の処理を行う。
【００７５】
なお、図２のピックアップ３は本発明のＩＤ情報読み出し手段に該当しており、ＩＤ情報復号回路７内のＩＤデータバッファ７１は本発明の記憶手段に該当しており、アドレスマーク（ＡＭ）検出回路７２および補助同期信号（ＰＡＭ）検出回路７３とが本発明の同期信号検出手段に該当しており、制御回路７４、ＩＤデータ復調回路７５およびエラー検出回路７６が本発明の復号手段に該当している。
【００７６】
第２実施の形態
図１（Ｃ）、図２、図３および図４を参照して本発明の第２実施の形態としての光学式回転記録媒体、ＩＤ情報再生装置について述べる。
【００７７】
図１（Ｃ）に図解した光磁気ディスク１のランド部分の１つのアドレス領域には、〔第１のＶＦＯ１、第１のアドレスマークＡＭ１、第１のランドＩＤ情報ＩＤ１１、第１のＣＲＣ１〕、〔第２のＶＦＯ１、第２のアドレスマークＡＭ２、第２のランドＩＤ情報ＩＤ１１、第２のＣＲＣ２〕、〔共通の補助同期信号ＰＡＭ〕が記録されている。
図１（Ｂ）のデータ構成と比較すると、図１（Ｃ）に図解したデータ構成は、１個共通の補助同期信号ＰＡＭを最後尾に配置し、ＩＤ情報ごとには補助同期信号ＰＡＭを記録していない。このようなデータ配置は、たとえば、アドレス領域にデータ記録領域の余裕がない場合などに行う。ただし、ＩＤ情報の信頼性を高めるために、２つのＩＤ情報を記録している。
【００７８】
図１（Ｃ）のデータ配置を考察すると、第１のアドレスマークＡＭ１と、共通の補助同期信号ＰＡＭとは離れた位置にあり、スクラッチなどの影響を同時に受けにくい。同様に、第２のアドレスマークＡＭ２と、共通の補助同期信号ＰＡＭとは離れた位置にあり、スクラッチなどの影響を同時に受けにくいという特徴を有している。
【００７９】
第２実施の形態においても第１実施の形態と同様、第１のＩＤ情報ＩＤ１１と第２のＩＤ情報ＩＤ１１とは同じＩＤ情報である。また、位相同期（ＰＬＬ）を行ってクロックを再生するための連続したデータが続く第１のＶＦＯ１と、第２のＶＦＯ２とは同じデータにしている。さらに、同期信号としての第１のアドレスマークＡＭ１と第２のアドレスマークＡＭ２とは同じデータパターンにしている。
【００８０】
光磁気ディスク１にそのようなアドレス情報の記録方法は第１実施の形態と同様である。
【００８１】
再生方法と装置
図１（Ｃ）を参照して上述したアドレス領域（ヘッダ領域）内のデータを読み取り、再生する第２実施の形態の装置と方法を述べる。
第２実施の形態においても、図２に図解した光磁気記憶・再生装置および図３に図解したＩＤ情報復号回路７においてＩＤ情報の復調を行う。ただし、データの配置の相違により、制御回路７４およびエラー検出回路７６は図５に図解したフローチャートの処理を行う。その他は、第１実施の形態と同様である。
【００８２】
図５のフローチャートと、図４のフローチャートを比較すると、図４にステップ０５において第１の補助同期信号ＰＡＭ１の正常検出状態を判断し、ステップ１１において第２の補助同期信号ＰＡＭ２の正常検出状態を判断していた部分が、図５においては、ステップ０５ａにおいて共通の補助同期信号ＰＡＭの正常検出状態を判断し、ステップ１１ａにおいても共通の補助同期信号ＰＡＭの正常検出状態を判断していることが異なるだけである。その他の処理は図４を参照して上述したものと同様である。
【００８３】
以上のように、第２実施の形態においても、第１実施の形態と同様、（１）第１のアドレスマークＡＭ１か共通の補助同期信号ＰＡＭが正常に検出でき、第１のＩＤ情報が正常に復調されるか、（２）第２のアドレスマークＡＭ２か共通の補助同期信号ＰＡＭが正常に検出でき、第２のＩＤ情報が正常に復調されればよく、ＩＤ情報の復調の信頼度が非常に高まる。
【００８４】
共通の補助同期信号ＰＡＭは、アドレス領域の最後尾に限らず、第１のアドレスマークＡＭ１および第２のアドレスマークＡＭ２とある程度の間隔を離した任意にく位置する記録することができる。
【００８５】
第２実施の形態のその他の効果は、第１実施の形態の効果と同様である。
【００８６】
アドレスマークＡＭ１、ＡＭ２と補助同期信号ＰＡＭとのデータパターンは異なることが好ましい。ＩＤデータバッファ７１からデータを読みだして検出するアドレスマーク（ＡＭ）検出回路７２および補助同期信号（ＰＡＭ）検出回路７３とにおける識別が明確になるからである。
【００８７】
第３実施の形態
図１（Ｄ）、図２、図３および図４を参照して本発明の第３実施の形態としての光学式回転記録媒体、ＩＤ情報再生装置について述べる。
【００８８】
図１（Ｄ）に図解した光磁気ディスク１のランド部分の１つのアドレス領域には、〔ＶＦＯ、アドレスマークＡＭ、ランドＩＤ情報ＩＤ１１、ＣＲＣ、補助同期信号ＰＡＭ〕が記録されている。
図１（Ｂ）、（Ｃ）のデータ構成と比較すると、図１（Ｄ）に図解したデータ構成は、ＩＤ情報が１同期信号だけ記録されており、それに対応して１個のＩＤ情報、１個の補助同期信号ＰＡＭが記録されているだけである。このようなデータ配置は、たとえば、アドレス領域にデータ記録領域の余裕がない場合、あるいは、データ領域（図１（Ａ））のデータ記録容量を増大させたい場合の例である。ただし、同期信号の信頼性を高めるために、補助同期信号ＰＡＭが付加されている。
【００８９】
図１（Ｄ）のデータ配置を考察すると、アドレスマークＡＭと、補助同期信号ＰＡＭとはＩＤ情報を挟んで離れた位置にあり、スクラッチなどの影響を同時に受けにくい。
【００９０】
第３実施の形態においても第１実施の形態と同様、同期信号としてのアドレスマークＡＭと補助同期信号ＰＡＭとはデータパターンを異ならせている。
【００９１】
光磁気ディスク１にそのようなアドレス情報の記録方法は第１実施の形態と同様である。
【００９２】
再生方法と装置
図１（Ｄ）を参照して上述したアドレス領域（ヘッダ領域）内のデータを読み取り、再生する第３実施の形態の装置と方法を述べる。
第３実施の形態においても、図２に図解した光磁気記憶・再生装置および図３に図解したＩＤ情報復号回路７においてＩＤ情報の復調を行う。ただし、データの配置の相違により、制御回路７４およびエラー検出回路７６は図６に図解したフローチャートの処理を行う。その他は、第１実施の形態および第２実施の形態と同様である。
【００９３】
図６のフローチャートと、図４のフローチャートを比較すると、１個のＩＤ情報の復調であるから、図６には、図４のステップ０１〜０７までしか図解されていない。図６のステップ０１〜０７の動作は図４を参照して述べた上記動作と同様である。
【００９４】
第３実施の形態においては、アドレスマークＡＭか補助同期信号ＰＡＭが正常に検出でき、ＩＤ情報が正常に復調されれば、正常なＩＤ情報を復調できる。
【００９５】
第３実施の形態においても、アドレスマークＡＭと補助同期信号ＰＡＭとのデータパターンは異なることが好ましい。ＩＤデータバッファ７１からデータを読みだして検出するアドレスマーク（ＡＭ）検出回路７２および補助同期信号（ＰＡＭ）検出回路７３とにおける識別が明確になるからである。
【００９６】
上述した実施の形態は、本発明の光学式回転記録媒体として光磁気ディスク１を例示したが、本発明の光学式回転記録媒体としては、光と磁気を用いる光磁気ディスク、光のみを用いる、相変化ディスク、再生専用光ディスク、ＣＤ、など種々の光学式回転記録媒体に適用できる。
また、上述した実施の形態は、光磁気ディスク１のランド部分について述べたが、グルーブ部分のみ、または、ランド部分とグルーブ部分との両者にも適用できる。
【００９７】
【発明の効果】
本発明によれば同期信号の信頼度が高い光学式回転記録媒体が提供できた。
【００９８】
また本発明によれば、そのような光学式回転記録媒体から信頼度高く、かつ、比較的簡単な回路構成のＩＤ情報再生装置が提供できた。
【００９９】
また本発明によれば、そのような光学式回転記録媒体から信頼度高く、かつ、比較的処理が簡単なＩＤ情報再生方法が提供できた。
【図面の簡単な説明】
【図１】図１（Ａ）〜（Ｄ）は、本発明の光学式回転記録媒体の第１〜第３実施の形態としての光磁気ディスクのアドレス領域のデータ配置を示すグラフである。
【図２】図２は本発明のＩＤ情報再生装置の実施の形態の構成図である。
【図３】図３は図２に図解したＩＤ情報再生装置におけるＩＤ情報復号回路の構成図である。
【図４】図４は図３に図解したＩＤ情報復号回路で行う第１実施の形態としての処理を示すフローチャートである。
【図５】図５は図３に図解したＩＤ情報復号回路で行う第２実施の形態としての処理を示すフローチャートである。
【図６】図６は図３に図解したＩＤ情報復号回路で行う第３実施の形態としての処理を示すフローチャートである。
【図７】図７は光磁気ディスクの概略構成図である。
【図８】図８は図７に図解した光磁気ディスクのランド部分およびグルーブ部分の構成図である。
【図９】図９（Ａ）〜（Ｃ）は、図８に図解した光磁気ディスクのアドレス領域のデータ配置を示すグラフである。
【符号の説明】
１・・光磁気ディスク１
２・・スピンドルサーボ回路
３・・ピックアップ
４・・サーボ回路
５・・外部磁界発生用コイル
６・・レーザーパワー制御回路
７・・ＩＤ情報復号回路
７１・・ＩＤデータバッファ
７２・・アドレスマーク（ＡＭ）検出回路
７３・・補助同期信号（ＰＡＭ）検出回路
７４・・制御回路
７５・・ＩＤデータ復調回路
７６・・エラー検出回路
８・・コントローラ
９・・エラー訂正コード付加回路
１０・・変調回路
１１・・マグネット駆動回路
１２・・イコライザ
１３・・ＲＦ信号２値化回路
１４・・データ復調回路
１５・・データエラー訂正復号回路
１６・・トラッキング制御回路
１７・・スピンドルモータ
【図１】
0004265069.tif 000002
【図２】
0004265069.tif 000003
【図３】
0004265069.tif 000004
【図４】
0004265069.tif 000005
【図５】
0004265069.tif 000006
【図６】
0004265069.tif 000007
【図７】
0004265069.tif 000008
【図８】
0004265069.tif 000009
【図９】
0004265069.tif 000010